(57)【要約】【課題】ユーザによる表示画面の大きさや形状の選択の幅を拡大し得るパーソナルコンピュータを提供する。【解決手段】キー操作が可能な操作部２４がその上面側に配設された本体部１１を備え、本体部１１には、画像表示用のスクリーンパネル１００を本体部１１の上面に対して所定の傾斜角度をなした状態で保持する保持部１２が配設されている。この場合、本体部１１の底面側に折りたたんだ状態から所定の傾斜角度をなす状態に回動可能に保持部１２を本体部１１に取り付けた構成を採用することができる。【選択図】図３
2008108029.tif 000002
【特許請求の範囲】
【請求項１】
キー操作が可能な操作部がその上面側に配設された本体部を備えたパーソナルコンピュータであって、
前記本体部には、画像表示用のスクリーンを当該本体部の前記上面に対して所定の傾斜角度をなした状態で保持する保持部が配設されているパーソナルコンピュータ。
【請求項２】
前記保持部は、前記本体部の底面側に折りたたんだ状態から前記所定の傾斜角度をなす状態に回動可能に当該本体部に取り付けられている請求項１記載のパーソナルコンピュータ。
【請求項３】
前記保持部は、前記本体部に対して着脱可能に構成されている請求項１または２記載のパーソナルコンピュータ。
【請求項４】
キー操作が可能な操作部がその上面側に配設された本体部を備えたパーソナルコンピュータであって、
前記操作部を覆うカバーとして機能する画像表示用のスクリーンを備え、
前記スクリーンは、前記本体部に対して回動可能でかつ当該本体部の前記上面に対して所定の傾斜角度をなした状態を維持可能に当該本体部に取り付けられているパーソナルコンピュータ。
【請求項５】
外部装置としてのプロジェクタとの間で通信可能な通信部と、制御部とを備え、
前記制御部は、前記通信部を介して前記プロジェクタに対して制御信号を送信することによって当該プロジェクタによる前記スクリーンに対する画像の投写表示を制御する請求項１から４のいずれかに記載のパーソナルコンピュータ。
【請求項６】
請求項５記載のパーソナルコンピュータと、当該パーソナルコンピュータとは別体に構成されると共に当該パーソナルコンピュータとの間で通信可能な前記プロジェクタとを備えているパーソナルコンピュータシステム。
【請求項７】
パーソナルコンピュータから出力された画像データに基づく画像を表示させる画像表示方法であって、
前記パーソナルコンピュータとは別体に構成されたプロジェクタに対して当該パーソナルコンピュータの通信部から制御信号を送信して当該プロジェクタを制御することにより、前記パーソナルコンピュータの本体部に配設された保持部によって当該本体部の上面に対して所定の傾斜角度をなした状態で保持されているスクリーンに前記画像を投写表示させる画像表示方法。
【請求項８】
パーソナルコンピュータから出力された画像データに基づく画像を表示させる画像表示方法であって、
前記パーソナルコンピュータとは別体に構成されたプロジェクタに対して当該パーソナルコンピュータの通信部から制御信号を送信して当該プロジェクタを制御することにより、前記パーソナルコンピュータの本体部に対して回動可能でかつ当該本体部の上面に対して所定の傾斜角度をなした状態を維持可能に当該本体部に取り付けられて当該本体部の当該上面側に配設された操作部を覆うカバーとして機能するスクリーンに前記画像を投写表示させる画像表示方法。
【発明の詳細な説明】
【技術分野】
【０００１】
本発明は、キー操作が可能な操作部がその上面側に配設された本体部を備えたパーソナルコンピュータ、そのパーソナルコンピュータを備えたパーソナルコンピュータシステム、およびパーソナルコンピュータから出力された画像データに基づく画像を表示する画像表示方法に関するものである。
【背景技術】
【０００２】
この種のパーソナルコンピュータとして、特開平１０−２０７５７４号公報に開示されたノート型パソコンが知られている。このノート型パソコンは、本体部と、本体部に対してヒンジを介して開閉自在に取り付けられると共に液晶表示装置が配設された蓋部材とを備えて構成されている。
【特許文献１】特開平１０−２０７５７４号公報（第２頁、第３図）
【発明の開示】
【発明が解決しようとする課題】
【０００３】
ところが、上記のノート型パソコンには以下の問題点が存在する。すなわち、このノート型パソコンを含む一般的なノート型パソコンでは、本体部に取り付けられた蓋部材に液晶表示装置が配設されている。このため、表示画面の大きさの上限が蓋部材の大きさ、つまり本体部の上面の大きさに限定されて、表示画面の形状（縦横比）が本体部の上面形状とほぼ同様の形状に限定されるという制約を受けている。一方、近年、ＤＶＤドライブ装置を搭載してＤＶＤに記憶されたビデオ映像を視聴可能なパソコンや、テレビチューナを搭載してテレビジョン放送を視聴可能なパソコンが一般化しており、パソコンの使用目的が、データ処理を中心とした従来からの使用目的に限定されず、娯楽を中心とした使用目的など各種の使用目的に拡大している。
【０００４】
このような状況下において、近年、狭いスペースでの使用に適した小型の表示画面を望むユーザ、テレビ番組やビデオ映像を大画面で視聴するために大型の表示画面を望むユーザ、およびハイビジョン放送を視聴するために横長の表示画面を望むユーザなどの様々なユーザが存在し、表示画面の大きさや形状に対する要望も多様化している。しかしながら、上記したノート型パソコンを含むこの種のノート型パソコンでは、上記したように、表示画面の大きさや形状が制約を受けているため、ノート型パソコンの能力自体が所望のものであったとしても、表示画面の大きさや形状が希望に合致していないことがあり、購入に際してのユーザの選択の幅が狭められているという問題点が存在する。この場合、１つの種類の本体部に対して様々な大きさや形状の表示部を組み合わせたノート型パソコンを用意することによって、ユーザの選択の幅を広げる方法も考えられる。しかしながら、この方法では、ノート型パソコンの機種の数が従来と比較して多くなる分、製造コストや在庫コストが増加して価格の上昇を招くおそれがあり、ユーザによる表示画面の大きさや形状の選択の幅を拡大するのは依然として困難である。
【０００５】
本発明は、かかる問題点に鑑みてなされたものであり、ユーザによる表示画面の大きさや形状の選択の幅を拡大し得るパーソナルコンピュータ、パーソナルコンピュータシステムおよび画像表示方法を提供することを主目的とする。
【課題を解決するための手段】
【０００６】
上記目的を達成すべく本発明に係るパーソナルコンピュータは、キー操作が可能な操作部がその上面側に配設された本体部を備えたパーソナルコンピュータであって、前記本体部には、画像表示用のスクリーンを当該本体部の前記上面に対して所定の傾斜角度をなした状態で保持する保持部が配設されている。
【０００７】
このパーソナルコンピュータによれば、画像表示用のスクリーンを本体部の上面に対して所定の傾斜角度をなした状態で保持する保持部を本体部に配設したことにより、従来の一般的なノート型パソコンに用いられている液晶表示装置を備えることなく、液晶表示装置と比較して安価なスクリーンに画像を表示させることができる。このため、１つの種類の本体部に対して様々な大きさや形状のスクリーンを組み合わせた数多くのバリエーションのパーソナルコンピュータを安価に製造することができる。したがって、購入に際してのユーザによる表示画面の大きさや形状の選択の幅を十分に拡大することができる。
【０００８】
また、本発明に係るパーソナルコンピュータは、前記保持部が、前記本体部の底面側に折りたたんだ状態から前記所定の傾斜角度をなす状態に回動可能に当該本体部に取り付けられている。
【０００９】
このパーソナルコンピュータによれば、本体部の底面側に折りたたんだ状態から所定の傾斜角度をなす状態に回動可能に保持部を本体部に取り付けたことにより、パーソナルコンピュータを持ち運ぶ際に保持部を折りたたむことで、保持部が邪魔となったり、保持部が物に接触して破損したりする事態を確実に防止することができる。
【００１０】
また、本発明に係るパーソナルコンピュータは、前記保持部が、前記本体部に対して着脱可能に構成されている。
【００１１】
このパーソナルコンピュータによれば、本体部に対して着脱可能に保持部を構成したことにより、複数種類の保持部を交換して用いることで、大きさや形状の異なる各種のスクリーンを容易に交換して本体部にセットすることができるため、パーソナルコンピュータを狭いスペースで使用する使用形態や、パーソナルコンピュータを用いて映像を大画面で視聴する使用形態等の各種の使用形態に柔軟に対応することができる。
【００１２】
また、本発明に係るパーソナルコンピュータは、キー操作が可能な操作部がその上面側に配設された本体部を備えたパーソナルコンピュータであって、前記操作部を覆うカバーとして機能する画像表示用のスクリーンを備え、前記スクリーンは、前記本体部に対して回動可能でかつ当該本体部の前記上面に対して所定の傾斜角度をなした状態を維持可能に当該本体部に取り付けられている。
【００１３】
このパーソナルコンピュータによれば、操作部を覆うカバーとして機能する画像表示用のスクリーンを本体部に対して回動可能でかつ本体部の上面に対して所定の傾斜角度をなした状態を維持可能に本体部に取り付けたことにより、従来の一般的なノート型パソコンに用いられている液晶表示装置を備えることなく、液晶表示装置と比較して安価なスクリーンに画像を表示させることができる。このため、１つの種類の本体部に対してカバーとして機能しかつ大きさや形状の異なる複数種類のスクリーンを組み合わせた数多くのバリエーションのパーソナルコンピュータを安価に製造することができる。したがって、購入に際してのユーザによる表示画面の大きさや形状の選択の幅を十分に拡大することができる。
【００１４】
また、本発明に係るパーソナルコンピュータは、外部装置としてのプロジェクタとの間で通信可能な通信部と、制御部とを備え、前記制御部は、前記通信部を介して前記プロジェクタに対して制御信号を送信することによって当該プロジェクタによる前記スクリーンに対する画像の投写表示を制御する。
【００１５】
また、本発明に係るパーソナルコンピュータシステムは、上記のパーソナルコンピュータと、当該パーソナルコンピュータとは別体に構成されると共に当該パーソナルコンピュータとの間で通信可能な前記プロジェクタとを備えている。
【００１６】
また、本発明に係る画像表示方法は、パーソナルコンピュータから出力された画像データに基づく画像を表示させる画像表示方法であって、前記パーソナルコンピュータとは別体に構成されたプロジェクタに対して当該パーソナルコンピュータの通信部から制御信号を送信して当該プロジェクタを制御することにより、前記パーソナルコンピュータの本体部に配設された保持部によって当該本体部の上面に対して所定の傾斜角度をなした状態で保持されているスクリーンに前記画像を投写表示させる。
【００１７】
また、本発明に係る画像表示方法は、パーソナルコンピュータから出力された画像データに基づく画像を表示させる画像表示方法であって、前記パーソナルコンピュータとは別体に構成されたプロジェクタに対して当該パーソナルコンピュータの通信部から制御信号を送信して当該プロジェクタを制御することにより、前記パーソナルコンピュータの本体部に対して回動可能でかつ当該本体部の上面に対して所定の傾斜角度をなした状態を維持可能に当該本体部に取り付けられて当該本体部の当該上面側に配設された操作部を覆うカバーとして機能するスクリーンに前記画像を投写表示させる。
【００１８】
上記のパーソナルコンピュータ、パーソナルコンピュータシステムおよび画像表示方法によれば、パーソナルコンピュータとは別体に構成されたプロジェクタに対してパーソナルコンピュータの通信部からの制御信号の送信によってプロジェクタを制御してスクリーンに画像を投写表示させることにより、パーソナルコンピュータにおける操作部を操作することで、プロジェクタによる投写表示に関する各種のパラメータの調整を容易に行うことができる。また、プロジェクタがパーソナルコンピュータとは別体に構成されているため、パーソナルコンピュータに保持または取り付けられたスクリーンとプロジェクタとの距離を調整することができる結果、スクリーンの大きさや形状（縦横比）が異なっているとしても、スクリーンとプロジェクタとの距離を調整することで、各スクリーンの大きさや形状に適合したサイズの画像を明瞭に表示させることができる。
【発明を実施するための最良の形態】
【００１９】
以下、本発明に係るパーソナルコンピュータ、パーソナルコンピュータシステムおよび画像表示方法の最良の形態について、添付図面を参照して説明する。図１に示すパーソナルコンピュータシステム１（以下、「コンピュータシステム１」ともいう）は、本発明に係るパーソナルコンピュータシステムの一例であって、パーソナルコンピュータ２（以下、「コンピュータ２」ともいう）およびプロジェクタ３を備えて構成されている。コンピュータ２は、本発明に係るパーソナルコンピュータの一例であって、図３に示すように、本体部１１および保持部１２を備えて構成されている。本体部１１は、図２に示すように、制御部２１、ハードディスクドライブ２２、ＲＡＭ２３、操作部２４、ビデオコントローラ２５、通信部２６およびこれらの構成要素が収容（配設）される筐体２７（図３参照）を備えて構成されている。
【００２０】
制御部２１は、各種のコンピュータプログラムに従って各種の処理を実行すると共に、コンピュータ２を構成する各構成要素を制御する。また、制御部２１は、各種処理の実行時に画像データＤｇを生成すると共に、画像データＤｇに基づく画像信号Ｓｇおよび制御信号Ｓｃを通信部２６を介してプロジェクタ３に送信することにより、本発明に係る画像表示方法に従い、プロジェクタ３に対して各種の画像を投写表示させる。また、制御部２１は、制御信号Ｓｃを通信部２６を介してプロジェクタ３に送信することにより、プロジェクタ３に対して投写表示に関する各種のパラメータ（例えば、コントラスト、色調、ブライトネス、画質、ズーム、フォーカスおよび台形歪みなど）を調整させる。
【００２１】
ハードディスクドライブ２２は、オペレーティングシステム、グラフィカルデバイスインタフェース、プロジェクタドライバ、マウスドライバおよびキーボードドライバ等の各種ドライバ、並びに各種のアプリケーションプログラム（アプリケーションソフト）などの各種コンピュータプログラムを記憶する。ＲＡＭ２３は、システムメモリであって、ハードディスクドライブ２２に記憶されている各種のコンピュータプログラムを一時的に記憶する。
【００２２】
操作部２４は、筐体２７（本体部１１）の上面側に配設されたキーボード２４ａおよびポインティングデバイスとしてのタッチパッド２４ｂ（いずれも図３参照）を備えて構成されている。この場合、キーボード２４ａおよびタッチパッド２４ｂは、キー操作およびタッチ操作に応じた操作信号Ｓｏを制御部２１に出力する。ビデオコントローラ２５は、制御部２１から出力される画像データＤｇに基づいて生成した画像信号Ｓｇを出力する。通信部２６は、ＩｒＤＡインターフェースを備えて構成され、制御部２１の制御に従って画像信号Ｓｇや制御信号Ｓｃに対応する赤外線信号Ｓｉを出力する。
【００２３】
筐体２７は、図３に示すように、平面視が略矩形の箱状に形成さている。また、図４に示すように、筐体２７の背面側（同図における右側）には、切り欠き２７ａが形成され、この切り欠き２７ａには、保持部１２のアーム３１を回動可能に取り付けるためのヒンジ２７ｂ（図５参照）が配設されている。また、図７に示すように、筐体２７の底面（同図における紙面手前側の面）には、アーム３１を収納するための収納溝２７ｃが形成されている。
【００２４】
保持部１２は、図３〜５に示すアーム３１，３１および図８に示すアーム３３，３３を備え、スクリーンパネル１００，２００を本体部１１（筐体２７）の上面に対して任意の傾斜角度をなした状態で保持可能に構成されている。アーム３１は、図５に示すように、基端部３１ａ（同図に示す下端部）がやや湾曲した棒状に形成されると共に、図３に示すように、スクリーンパネル１００の縁部を固定する複数（例えば３つ）の固定用爪３２を備えている。また、アーム３１は、基端部３１ａを筐体２７のヒンジ２７ｂに連結および連結解除することで、筐体２７に対する着脱が可能に構成されている。また、アーム３１は、図６に示すように、筐体２７に取り付けられた状態において、筐体２７の底面に形成されている収納溝２７ｃ（図７参照）に折りたたんで収納された状態から筐体２７の上面に対して９０゜程度をなす状態まで回動可能で、かつ筐体２７の上面に対して任意の傾斜角度をなした状態を維持可能に構成されている。
【００２５】
一方、アーム３３は、スクリーンパネル２００を保持する際に、アーム３１に代えて用いられる部材であって、図８に示すように、筐体２７に取り付けられた状態において基端部３３ａを除く部分が本体部１１の外側に張り出すようにして折り曲げられた形状に形成されると共に、複数（一例として３つ）の固定用爪３２を備えている。また、アーム３３は、アーム３１と同様にして、筐体２７に対する着脱が可能に構成されると共に、取り付けられた状態において、筐体２７に対して回動可能で、かつ筐体２７の上面に対して任意の傾斜角度をなした状態を維持可能に構成されている。
【００２６】
ここで、スクリーンパネル１００，２００は、本発明におけるスクリーンに相当し、一例として、フレネルレンズ、レンチキュラーレンズおよび保護板等で構成された透過型のスクリーンパネルであって、背面側から投写されたプロジェクタ３からの投写光Ｌを受光して画像を表示する。この場合、スクリーンパネル２００は、スクリーンパネル１００よりも大型で、かつスクリーンパネル１００と比較して横長に形成されている。
【００２７】
プロジェクタ３は、例えば、コンピュータ２と共に机等に載置した状態で使用可能な小型のプロジェクタであって、図１に示すように、コンピュータ２によって保持されたスクリーンパネル１００に投写光Ｌを投写することによって各種の画像を表示可能に構成されている。具体的には、プロジェクタ３は、図２に示すように、制御部４１、通信部４２、ＲＯＭ４３、画像信号処理部４４、フレームバッファ４５、液晶駆動部４６および投写部４７を備えて構成されている。制御部４１は、動作プログラムに従って各種の処理を実行すると共に、プロジェクタ３を構成する各構成要素を制御する。また、制御部４１は、液晶駆動部４６および投写部４７を制御することにより、コンピュータ２から送信された制御信号Ｓｃに従って画像信号Ｓｇに基づく画像を投写表示させると共に、コンピュータ２から送信された制御信号Ｓｃに従って投写表示に関する各種のパラメータを調整する。
【００２８】
通信部４２は、ＩｒＤＡインターフェースを備えて構成され、コンピュータ２の通信部２６から出力された赤外線信号Ｓｉを受信して画像信号Ｓｇおよび制御信号Ｓｃを出力する。ＲＯＭ４３は、制御部４１の動作プログラムを記憶する。画像信号処理部４４は、通信部４２から出力された画像信号Ｓｇに基づき、投写部４７の液晶パネル５２を駆動（制御）するためのピクセルデータを含むフレームデータＤｆを生成する。また、画像信号処理部４４は、ピクセルデータを補正するための補正用パラメータを記憶するメモリを備えており、フレームデータＤｆを生成する際に補正用パラメータに基づいてピクセルデータを補正する。フレームバッファ４５は、画像信号処理部４４によって生成されたフレームデータＤｆを一時的に記憶する。液晶駆動部４６は、フレームバッファ４５に記憶されているフレームデータＤｆ内のピクセルデータに基づいて投写部４７の液晶パネル５２を制御する。投写部４７は、光源５１、光変調素子としての液晶パネル５２、およびレンズ５３を備えて構成されている。この場合、液晶パネル５２は、液晶駆動部４６の制御に従い、光源５１からの光をフレームデータＤｆに基づいて投写光Ｌに光変調し、レンズ５３は、投写光Ｌを拡大する。
【００２９】
次に、コンピュータシステム１の使用方法の一例、およびその際のコンピュータシステム１の全体的な動作について、図面を参照して説明する。このコンピュータシステム１を使用する際には、パーソナルコンピュータ２の保持部１２にスクリーンパネル１００をセットする。具体的には、図３に示すように、保持部１２の両アーム３１，３１を本体部１１（筐体２７）の上面に対して所定の傾斜角度をなすように立てた状態において、両アーム３１，３１の上端部側からアーム３１と固定用爪３２との間の隙間にスクリーンパネル１００の縁部を挟み込ませつつ、スクリーンパネル１００をアーム３１に沿って下向きにスライドさせる。これにより、図１に示すように、両アーム３１と固定用爪３２とによってスクリーンパネル１００が固定される。
【００３０】
次に、スクリーンパネル１００をセットしたパーソナルコンピュータ２を例えば机の上に載置する。次いで、図１に示すように、プロジェクタ３のレンズ５３とスクリーンパネル１００の背面とが対向するようにして、パーソナルコンピュータ２の後方にプロジェクタ３を配置する。続いて、コンピュータ２を起動させる。この際に、制御部２１がハードディスクドライブ２２からオペレーションシステムを読み出して起動処理を開始する。この際に、制御部２１は、初期画面を表示させるための画像データＤｇを生成してビデオコントローラ２５に出力する。次いで、ビデオコントローラ２５が、画像データＤｇに基づく画像信号Ｓｇを生成して制御部２１に出力する。続いて、制御部２１は、投写表示を指示する制御信号Ｓｃと画像信号Ｓｇとを通信部２６に出力すると共に、通信部２６を制御して、制御信号Ｓｃおよび画像信号Ｓｇに対応する赤外線信号Ｓｉを送信させる。
【００３１】
一方、プロジェクタ３では、通信部４２が、コンピュータ２の通信部２６から送信された赤外線信号Ｓｉを受信してその赤外線信号Ｓｉに対応する制御信号Ｓｃおよび画像信号Ｓｇを出力し、制御部４１が制御信号Ｓｃに従って画像信号Ｓｇを画像信号処理部４４に転送する。次いで、画像信号処理部４４が画像信号Ｓｇに基づいてフレームデータＤｆを生成し、制御部４１がフレームデータＤｆをフレームバッファ４５に記憶させる。続いて、液晶駆動部４６は、フレームデータＤｆに基づいて後述する投写部４７の液晶パネル５２を制御する。続いて、投写部４７の液晶パネル５２が、液晶駆動部４６の制御に従い、光源５１からの光をフレームデータＤｆに基づいて投写光Ｌに光変調する。この際に、投写光Ｌがレンズ５３によつて拡大されてスクリーンパネル１００に投写される。これにより、図１に示すように、初期画面がスクリーンパネル１００に投写表示される。
【００３２】
次に、コンピュータ２のハードディスクドライブ２２に記憶されているアプリケーションソフトを用いて作業を行うときには、操作部２４のキーボード２４ａやタッチパッド２４ｂを操作して、所望のアプリケーションソフトを起動させる。この際に、制御部２１は、そのアプリケーションソフトの画面を表示させるための制御信号Ｓｃおよび画像データＤｇを生成する。次いで、制御部２１、ビデオコントローラ２５および通信部２６が、上記した処理と同様の処理を実行して、赤外線信号Ｓｉをプロジェクタ３に送信することにより、プロジェクタ３によってアプリケーションソフトの画面がスクリーンパネル１００に投写表示される。
【００３３】
次に、スクリーンパネル１００に投写表示された画像のコントラストや台形歪み等の投写表示に関するパラメータを調整するときには、これらの調整用として割り当てられたキーボード２４ａにおける所定のキーを操作する。この際に、操作部２４が操作信号Ｓｏを出力し、これに応じて、制御部２１は、パラメータ調整の指示およびそのパラメータの調整量を含む制御信号Ｓｃを通信部２６に出力する。続いて、通信部２６が制御信号Ｓｃに対応する赤外線信号Ｓｉを送信する。次いで、プロジェクタ３の通信部４２が、通信部２６から送信された赤外線信号Ｓｉを受信して制御信号Ｓｃを出力し、制御部４１がその制御信号Ｓｃを画像信号処理部４４に転送する。
【００３４】
続いて、画像信号処理部４４が制御信号Ｓｃに従い、制御信号Ｓｃに含まれているパラメータの調整量に基づいてメモリに記憶されている補正用パラメータを更新する。次いで、画像信号処理部４４は、フレームデータＤｆ内のピクセルデータを更新後の補正用パラメータに基づいて補正する。これにより、スクリーンパネル１００に投写表示されている画像のコントラストや台形歪み等の投写表示に関するパラメータが変更（調整）される。この場合、このコンピュータシステム１では、コンピュータ２のキーボード２４ａを操作することで、投写表示に関する各種のパラメータの調整が可能なため、ＬＣＤパネルで構成された表示部を備えたパーソナルコンピュータにおける表示に関するパラメータの調整と同様にして、調整作業を容易に行うことが可能となっている。
【００３５】
次に、コンピュータシステム１の使用を終了して、例えば、コンピュータ２を持ち運ぶ際には、スクリーンパネル１００を保持部１２のアーム３１から取り外す。具体的には、スクリーンパネル１００をアーム３１に沿って上方に引き上げることにより、スクリーンパネル１００の縁部をアーム３１と固定用爪３２との間の隙間から引き抜く。次いで、図６に示す順序と逆の順序で、アーム３１を本体部１１における筐体２７の底面側に回動させて、図７に示すように、筐体２７の底面に形成されている収納溝２７ｃにアーム３１を折りたたんで収納する。この場合、折りたたみが可能にアーム３１を構成したことにより、コンピュータ２を持ち運ぶ際にアーム３１が邪魔となったり、アーム３１が物に接触して破損する事態を防止することが可能となっている。
【００３６】
一方、スクリーンパネル１００よりも大形で横長のスクリーンパネル２００をコンピュータ２にセットして、そのスクリーンパネル２００に画像を表示させる際には、まず、アーム３１の基端部３１ａと筐体２７のヒンジ２７ｂとの連結を解除してアーム３１を筐体２７から取り外す。続いて、図８に示すアーム３３の基端部３３ａとヒンジ２７ｂとを連結する。続いて、同図に示すように、上記したスクリーンパネル１００のアーム３１への取り付け方法と同様にして、スクリーンパネル２００をアーム３３に取り付ける。
【００３７】
次いで、操作部２４のキーボード２４ａやタッチパッド２４ｂを上記と同様に操作することにより、スクリーンパネル２００に画像が投写表示される。続いて、例えば、スクリーンパネル２００に画像が投写表示された状態において、投写表示に関するパラメータを調整する際には、上記した操作と同様にして、キーボード２４ａにおけるパラメータ調整用のキーを操作する。この場合、このコンピュータシステム１では、コンピュータ２のキーボード２４ａを操作することで、投写表示に関する各種のパラメータの調整が可能なため、小型のスクリーンパネル１００から大型で横長のスクリーンパネル２００に交換したとしても、スクリーンパネル２００に適合した画像の拡大（ズームアップ）やフォーカス等の調整作業を容易に行うことが可能となっている。
【００３８】
なお、アーム３１，３３にスクリーンパネル１００，２００を固定する方法としては、上記した固定用爪３２を用いる方法に限定されず、例えば、ねじ止めによって固定する方法を採用することもできる。また、アームの形状は上記したアーム３１，３３の形状に限定されず、筐体２７に取り付けられた状態において基端部３１ａ側を除く部分が本体部１１の内側に位置するように折り曲げた形状や、基端部３３ａ側を除く部分がアーム３３よりもさらに外側に張り出すように折り曲げた形状を採用することもでき、このような構成を採用することで、スクリーンパネル１００よりも小型のスクリーンパネルやスクリーンパネル２００よりもさらに大型のスクリーンパネル、およびスクリーンパネル１００，２００とは縦横比の異なるスクリーンパネルを用いることが可能となる。
【００３９】
この場合、このコンピュータシステム１では、プロジェクタ３がコンピュータ２の本体部１１とは別体に構成されている。このため、スクリーンパネル１００よりもさらに小型のスクリーンパネルや、スクリーンパネル２００よりもさらに大型のスクリーンパネル、およびスクリーンパネル１００，２００とは縦横比の異なるスクリーンパネルを用いたとしても、コンピュータ２の保持部１２に保持されている状態のこれらのスクリーンパネルとプロジェクタ３との距離を調整することにより、各スクリーンパネルの大きさや形状に適合したサイズの画像を明瞭に表示させることが可能となっている。
【００４０】
このように、このコンピュータ２によれば、スクリーンパネル１００，２００を本体部１１の上面に対して所定の傾斜角度をなした状態で保持する保持部１２を本体部１１に配設したことにより、従来の一般的なノート型パソコンに用いられている液晶表示装置を備えることなく、液晶表示装置と比較して安価なスクリーンパネル１００，２００に画像を表示させることができる。このため、１つの種類の本体部１１に対して様々な大きさや形状のスクリーンパネルを組み合わせた数多くのバリエーションのコンピュータ２を安価に製造することができる。したがって、購入に際してのユーザによる表示画面の大きさや形状の選択の幅を十分に拡大することができる。
【００４１】
また、このコンピュータ２によれば、本体部１１における筐体２７の底面側に形成されている収納溝２７ｃに折りたたんで収納した状態から筐体２７の上面に対して所定の角度（上記の例では９０゜程度）をなす状態まで回動可能にアーム３１を本体部１１に取り付けたことにより、コンピュータ２を持ち運ぶ際にアーム３１を折りたたむことで、アーム３１が邪魔となったり、アーム３１が物に接触して破損したりする事態を確実に防止することができる。
【００４２】
また、このコンピュータ２によれば、本体部１１に対して着脱可能にアーム３１，３３を構成したことにより、複数種類（上記の例では２種類）のアームを交換して用いることで、大きさや形状の異なる各種のスクリーンパネルを容易に交換して本体部１１にセットすることができるため、コンピュータ２を狭いスペースで使用する使用形態や、コンピュータ２を用いて映像を大画面で視聴する使用形態等の各種の使用形態に柔軟に対応することができる。
【００４３】
また、このコンピュータ２、コンピュータシステム１および画像表示方法によれば、コンピュータ２とは別体に構成されたプロジェクタ３に対してコンピュータ２の通信部２６からの制御信号Ｓｃの送信によってプロジェクタ３を制御してスクリーンパネル１００，２００に画像を投写表示させることにより、コンピュータ２におけるキーボード２４ａを操作することで、プロジェクタ３による投写表示に関する各種のパラメータの調整を容易に行うことができる。また、プロジェクタ３をコンピュータ２の本体部１１とは別体に構成したことにより、スクリーンパネルとプロジェクタ３との距離を調整することができるため、大きさや形状（縦横比）の異なる複数種類のスクリーンパネルを交換して用いたとしても、コンピュータ２の保持部１２に保持されている状態のスクリーンパネルとプロジェクタ３との距離を調整することで、各スクリーンパネルの大きさや形状に適合したサイズの画像を明瞭に表示させることができる。
【００４４】
なお、本発明は、上記の構成に限定されない。例えば、スクリーンパネル１００を保持する保持部１２を備えたコンピュータ２を例に挙げて説明したが、図９に示すコンピュータ１０２のように、スクリーンパネル３００を予め備えた構成を採用することもできる。なお、以下の説明において上記したコンピュータ２における各構成要素と同じ構成要素については同一の符号を付して重複する説明を省略する。このコンピュータ１０２は、同図に示すように、本体部１１およびスクリーンパネル３００を備えて構成されている。この場合、スクリーンパネル３００は、本体部１１の上面とほぼ同じ大きさでほぼ同じ形状に形成されている。また、スクリーンパネル３００は、本体部１１に対して回動可能でかつ本体部１１の上面に対して所定の傾斜角度をなした状態を維持可能にヒンジ１３を介して本体部１１に取り付けられている。また、スクリーンパネル３００は、図１０に示すように、本体部１１の上面側に回動させることにより、操作部２４を覆うカバーとして機能する。
【００４５】
このコンピュータ１０２においても、従来の一般的なノート型パソコンに用いられている液晶表示装置を備えることなく、液晶表示装置と比較して安価なスクリーンパネル３００に画像を表示させることができる。このため、１つの種類の本体部１１に対してカバーとして機能しかつ大きさや形状の異なる複数種類のスクリーンパネル３００を組み合わせた数多くのバリエーションのコンピュータ１０２を安価に製造することができる。したがって、購入に際してのユーザによる表示画面の大きさや形状の選択の幅を十分に拡大することができる。また、このコンピュータ１０２と上記したプロジェクタ３とを備えたコンピュータシステムにおいても、コンピュータ１０２におけるキーボード２４ａを操作することで、プロジェクタ３による投写表示に関する各種のパラメータの調整を容易に行うことができる。また、このコンピュータシステムにおいても、プロジェクタ３を本体部１１とは別体に構成したことにより、スクリーンパネル３００の大きさが異なっていたとしても、スクリーンパネルとプロジェクタ３との距離を調整することで、スクリーンパネル３００の大きさや形状に適合したサイズの画像を明瞭に表示させることができる。
【００４６】
また、フレネルレンズ、レンチキュラーレンズおよび保護板等で構成されたスクリーンパネル１００，２００，３００を本発明におけるスクリーンの一例として説明したが、スクリーンの構成はこれに限定されず、背面側からの投写光Ｌの投写によつて画像を投写表示可能な各種のスクリーンを用いることができる。また、背面投射型のスクリーンパネル１００，２００，３００に限定されず、反射型のスクリーンを用いて、投写光Ｌを表示面側（斜め前方）から投写して画像を投写表示させる構成を採用することもできる。
【図面の簡単な説明】
【００４７】
【図１】コンピュータシステム１の構成を示す構成図である。
【図２】コンピュータシステム１の構成を示すブロック図である。
【図３】コンピュータ２およびスクリーンパネル１００の斜視図である。
【図４】コンピュータ２を背面側から見た斜視図である。
【図５】コンピュータ２の側面図である。
【図６】アーム３１の筐体２７への取り付け方法を説明する説明図である。
【図７】コンピュータ２を底面側から見た底面図である。
【図８】コンピュータ２およびスクリーンパネル２００の斜視図である。
【図９】コンピュータ１０２の斜視図である。
【図１０】スクリーンパネル３００の折りたたみ方法を説明する説明図である。
【符号の説明】
【００４８】
１  コンピュータシステム、２，１０２  パーソナルコンピュータ、３  プロジェクタ、１１  本体部、１２  保持部、１３  ヒンジ、２１  制御部、２４  操作部、２４ａ  キーボード、２６，４２  通信部、２７ｂ  ヒンジ、３１，３３  アーム、１００，２００，３００  スクリーンパネル、Ｓｃ  制御信号
【図１】
2008108029.tif 000003
【図２】
2008108029.tif 000004
【図３】
2008108029.tif 000005
【図４】
2008108029.tif 000006
【図５】
2008108029.tif 000007
【図６】
2008108029.tif 000008
【図７】
2008108029.tif 000009
【図８】
2008108029.tif 000010
【図９】
2008108029.tif 000011
【図１０】
2008108029.tif 000012